(57)【要約】【課題】運搬性のよい縦葺材の端部取付用部材を提供する。【解決手段】金属製の縦葺材１の端部に取り付けられる端部取付用部材である。端部取付用部材は、固定板部２と、覆い片部３とを備える。固定板部２は、縦葺材１の端部に固定可能であり、直線状に延びる。覆い片部３は、固定板部２の幅方向の一方の端部から固定板部２に交差する方向に延出し、縦葺材１の端部を覆うように構成される。固定板部２は、縦葺材１の端部形状に沿って折り曲げ可能な折曲可能部２２を有する。【選択図】図１
2018123518.tif 000002
【特許請求の範囲】
【請求項１】
金属製の縦葺材の端部に取り付けられる端部取付用部材であって、
前記縦葺材の端部に固定可能であり、直線状に延びた固定板部と、
前記固定板部の幅方向の一方の端部から前記固定板部に交差する方向に延出し、前記縦葺材の端部を覆うように構成された覆い片部と
を備え、
前記固定板部は、前記縦葺材の端部形状に沿って折り曲げ可能な折曲可能部を有している
ことを特徴とする縦葺材の端部取付用部材。
【請求項２】
前記折曲可能部は、前記固定板部の幅方向の端縁から切り欠かれた切欠部を有する
ことを特徴とする請求項１記載の縦葺材の端部取付用部材。
【請求項３】
前記折曲可能部は、前記固定板部を貫通して前記固定板部を屈曲しやすくする貫通孔を有している
ことを特徴とする請求項１又は請求項２記載の縦葺材の端部取付用部材。
【請求項４】
前記端部取付用部材は、前記固定板部における前記覆い片部が設けられた側とは反対側の端縁から、前記覆い片部に至るまで水抜き用切欠が設けられている
ことを特徴とする請求項１〜３のいずれか一項に記載の縦葺材の端部取付用部材。
【発明の詳細な説明】
【技術分野】
【０００１】
本発明は、縦葺材の端部取付用部材に関する。
【背景技術】
【０００２】
特許文献１には、従来の縦葺材の端部取付用部材が開示されている。この縦葺材の端部取付用部材は、折板屋根の軒側の端部に取り付けられた化粧フレームである。この化粧フレームは、折板屋根の軒側の端面を覆う化粧板部と、化粧板部の上端部から棟側に突出した突片とを有している。化粧フレームは、この突片の下面を折板屋根の上面に接触した状態で、突片が折板屋根に対してリベット等の固定手段により固定される。
【先行技術文献】
【特許文献】
【０００３】
【特許文献１】特開平１０−１４８０１３号公報
【発明の概要】
【発明が解決しようとする課題】
【０００４】
ところで、この特許文献１記載の化粧フレームは、化粧板部が折板屋根の断面に沿った形状になるように、山形状に形成されている。
【０００５】
このため、化粧フレームは、例えば、工場から建築現場に搬送するときに箱に詰める場合には、箱の内面の形状に合致せず、箱のサイズを大きくする必要がある。つまり、従来の化粧フレームでは、工場出荷時から屋根の形状に合わせて形成されていたため、運搬性に問題があった。
【０００６】
本発明は、上記事情に鑑みてなされたものであり、その目的とするところは、運搬性のよい縦葺材の端部取付用部材を提供することにある。
【課題を解決するための手段】
【０００７】
本発明の縦葺材の端部取付用部材は、金属製の縦葺材の端部に取り付けられる端部取付用部材であって、前記縦葺材の端部に固定可能であり、直線状に延びた固定板部と、前記固定板部の幅方向の一方の端部から前記固定板部に交差する方向に延出し、前記縦葺材の端部を覆うように構成された覆い片部とを備え、前記固定板部は、前記縦葺材の端部形状に沿って折り曲げ可能な折曲可能部を有していることを特徴とする。
【０００８】
また、この縦葺材の端部取付用部材において、前記折曲可能部は、前記固定板部の幅方向の端縁から切り欠かれた切欠部を有することが好ましい。
【０００９】
また、この縦葺材の端部取付用部材において、前記折曲可能部は、前記固定板部を貫通して前記固定板部を屈曲しやすくする貫通孔を有していることが好ましい。
【００１０】
また、この縦葺材の端部取付用部材は、前記固定板部における前記覆い片部が設けられた側とは反対側の端縁から、前記覆い片部に至るまで水抜き用切欠が設けられていることが好ましい。
【発明の効果】
【００１１】
本発明の端部取付用部材によれば、運搬時には直線状に形成されているため、運搬性を向上することができる。
【図面の簡単な説明】
【００１２】
【図１】図１は、本発明の一例の端部取付用部材の斜視図である。
【図２】図２は、同上の端部取付用部材を変形させて、縦葺材に取り付けた状態の斜視図である。
【図３】図３Ａは、同上の端部取付用部材を変形させる状態を説明する斜視図である。図３Ｂは、止水フレームを折板材の軒側の端部に取り付けることを説明する斜視図である。
【図４】図４は、縦継ぎ部の断面図である。
【図５】図５は、変形例の止水フレームを取り付けた状態の斜視図である。
【発明を実施するための形態】
【００１３】
以下、本発明の実施形態について添付図面に基づいて説明する。
【００１４】
本実施形態の縦葺材の端部取付用部材は、図１に示すように、工場出荷時は直線状の部材であるが、建築現場に搬入された後に、作業者によって変形され、図２に示すように、例えば、縦葺き屋根としての折板屋根に取り付けられる。
【００１５】
折板屋根は、複数の折板材１を備えている。各折板材１は、底板１１と、底板１１の左右両端から立ち上げられた一対の立上板１２と、各立上板１２の上端から左右方向のうちの底板１１側とは反対側に突出した上板１３とを有している。折板屋根は、複数の折板材１が、軒棟方向に接続されると共に、左右方向にも接続されて構成される。軒棟方向に接続される折板材１は、軒側の折板材１ａの棟側の端部に、棟側の折板材１ｂの軒側の端部が上方から重ねられることで接続される（この接続部分を縦継ぎ部という）。また、左右方向へ接続される折板材１は、隣り合う上板１３同士がハゼ締結されることで連結される。
【００１６】
本実施形態の端部取付用部材は、変形された状態で、各折板材１の軒側の端部に取り付けられる。具体的には、軒先に取り付けられて、いわゆる化粧フレームを構成し、縦継ぎ部においては、棟側の折板材１ｂの軒側の端部に取り付けられて、重ね部を覆う被覆フレームを構成する。本実施形態においては、この化粧フレームおよび被覆フレームについて、いずれも止水フレーム５と称する。
【００１７】
また、本実施形態においては、説明の便宜上、工場出荷時から建築現場に搬入するときの状態のものを「端部取付用部材」といい、建築現場において端部取付用部材を変形させた後のものを「止水フレーム５」という。
【００１８】
端部取付用部材は、図１に示すように、固定板部２と、覆い片部３とを有しており、これらは曲げ加工により一体に形成されている。端部取付用部材は、例えば、０．５ｍｍ厚の金属板により構成されている。
【００１９】
固定板部２は、折板材１の端部に固定される部分である。本実施形態の固定板部２は、折板材１に対して、軒側の端部に固定される。固定板部２は、直線状に延びた平面視帯状に形成されている。固定板部２は、ねじやビス等の固着具を挿通するための複数の固着具挿通孔２１を有している。
【００２０】
覆い片部３は、折板材１の端部を覆う部分である。覆い片部３は、固定板部２の幅方向の一方の端部（軒側の端部）から、固定板部２に交差するように延出しており、具体的に、覆い片部３と固定板部２とは略直交している。覆い片部３は、複数箇所に設けられたスリット３１によって、複数の部分に別れている。以下においては、複数の部分として、中央に位置する第１の覆い部３２，第１の覆い部３２の左右両側に位置する第２の覆い部３３と第３の覆い部３４，第２の覆い部３３の外側に位置する第４の覆い部３５，第３の覆い部３４の外側に位置する第５の覆い部３６として定義する。
【００２１】
固定板部２は、図３Ａに示すように、建築現場において折り曲げられて、折板材１の端部の形状（端部形状）に沿って変形可能に構成されている。固定板部２は、折板材１の角部の位置で折り曲げ可能な複数の折曲可能部２２を有している。
【００２２】
折曲可能部２２は、固定板部２において、建築現場で折曲されることが予定された部分である。本実施形態の折曲可能部２２は、固定板部２における折曲可能部２２以外の部分よりも塑性変形しやすい構造となっている。折曲可能部２２は、折板材１の端部の隅部（底板１１と立上板１２との入隅部、立上板１２と上板１３との出隅部）に対応する位置に形成されており、本実施形態においては、合計４箇所に形成されている。この折曲可能部２２は、図１に示すように、複数の切欠部２３と、貫通孔２４とを有している。
【００２３】
複数の切欠部２３は、固定板部２の幅方向の両側にそれぞれ形成されている。各切欠部２３は、山形に形成されており、固定板部２の幅方向の中央側に向かって尖っている。一対の切欠部２３は折曲可能部２２の両側に形成されており、固定板部２の幅を、折曲可能部２２以外の部分よりも幅狭にするため、固定板部２において折曲可能部２２以外の部分よりも塑性変形が容易となっている。
【００２４】
貫通孔２４は、一対の切欠部２３の間に配置されている。貫通孔２４は、固定板部２を厚さ方向に貫通する。貫通孔２４が設けられていることで、固定板部２の剛性が小さくなり、より一層、固定板部２において折曲可能部２２以外の部分よりも塑性変形が容易となっている。
【００２５】
スリット３１は、折曲可能部２２に対応するように形成されている。これにより、固定板部２に対して覆い片部３が一体に設けられていても、固定板部２を折曲可能部２２で折り曲げることができる。本実施形態の端部取付用部材は、第１の覆い部３２の両側のスリット３１の下端部が、対応する折曲可能部２２よりも端部取付用部材の長手方向の端部側に位置している。これにより、第１の覆い部３２の左右方向の長さを、固定板部２における第１の覆い部３２に対応する部分の長さよりも長くすることができる。この結果、例えば、止水フレーム５として、縦継ぎ部に取り付けられる場合には、棟側の折板材１ｂの軒側の端部に取り付けられた止水フレーム５の第１の覆い部３２によって、軒側の折板材１ａの底板１１と立上板１２との入隅部を効果的に覆うことができる。
【００２６】
このような構成の端部取付用部材は、図３Ａに示すように、簡単な変形を施すことで、止水フレーム５に変形することができる。作業者は、固定板部２において第２の覆い部３３および第３の覆い部３４に対応する部分を、上側に向かって折曲可能部２２で折り曲げ、固定板部２において第４の覆い部３５および第５の覆い部３６に対応する部分を略水平となるように、折曲可能部２２で折り曲げる。すると、端部取付用部材は、折板材１の断面形状に沿った形状に変形する。
【００２７】
次いで、作業者は、図３Ｂに示すように、折板材１の軒側の端部の上面に固定板部２を載せる。このとき、第１の覆い部３２を底板１１に対応させ、第２の覆い部３３および第３の覆い部３４を各立上板１２に対応させ、第４の覆い部３５および第５の覆い部３６を上板１３に対応させるように、固定板部２を折板材１に載せる。そして、作業者は、固定板部２を、固着具を介して折板材１の端部に固定する。これにより、止水フレーム５は折板材１の端部に取り付けられる。
【００２８】
ここで、図４に縦継ぎ部の断面図を示す。軒側の折板材１ａにおける棟側の端部には、棟側の折板材１ｂの軒側の端部が上方から重なっている。軒側の折板材１ａと棟側の折板材１ｂとの間には、パッキン４が配置されている。パッキン４は、棟側の折板材１ｂの軒側の端縁よりも一定の寸法、棟側に配置されている（本実施形態では、軒側の折板材１ａの棟側の端縁に沿って配置される）。
【００２９】
この縦継ぎ部において、棟側の折板材１ｂの軒側の端部に止水フレーム５を取り付ける。この止水フレーム５により、軒側の折板材１ａと棟側の折板材１ｂとの間に浸入する雨水の一次止水を行うことができる。
【００３０】
また、軒側の折板材１ａと棟側の折板材１ｂとの間には、一定の隙間が設けられているため、止水フレーム５が取り付けられない場合、直射日光がパッキン４に照射したり、鳥等がくちばし等でパッキン４をつつくことがある。これに対し、縦継ぎ部に止水フレーム５が取り付けられると、直射日光を遮ることができる上に鳥等がパッキン４をつつくことも防止でき、パッキン４の劣化を抑制できる。なお、図４中の符号６１は母屋であり、符号６２はタイトフレームである。
【００３１】
〔効果〕
以上、説明したように本実施形態の縦葺材の端部取付用部材は、金属製の縦葺材の端部に取り付けられる端部取付用部材である。端部取付用部材は、固定板部２と、覆い片部３とを備える。固定板部２は、縦葺材の端部に固定可能であり、直線状に延びる。覆い片部３は、固定板部２の幅方向の一方の端部から固定板部２に交差する方向に延出し、縦葺材の端部を覆うように構成される。固定板部２は、縦葺材の端部形状に沿って折り曲げ可能な折曲可能部２２を有している。
【００３２】
この構成によれば、工場出荷時から建築現場に搬送するときには、直線状に形成されているため、運搬性がよく、また、作業現場において、折曲可能部２２で折り曲げるだけで、縦葺材の軒側の端部に取り付けることができるため、作業性もよい。
【００３３】
さらに、従来の化粧フレームのように、工場出荷時からＵ字状に形成されているものにあっては、製造時において金属板からプレスによって打ち抜く際に、不要となる部分が多かった。これに対し、本実施形態の端部取付用部材は、直線状に形成されているため、不要となる部分をできる限り減らすことができ、コストダウンをすることができる。
【００３４】
また、本実施形態の縦葺材の端部取付用部材は、次の付加的な構成を備える。すなわち、本実施形態の端部取付用部材において、折曲可能部２２は、固定板部２の幅方向の端縁から切り欠かれた切欠部２３を有する。
【００３５】
この構成によれば、施工者が折曲可能部２２の位置を認識しやすく、建築現場での作業ミスを減らすことができる。
【００３６】
また、本実施形態の縦葺材の端部取付用部材は、次の付加的な構成を備える。すなわち、本実施形態の端部取付用部材において、折曲可能部２２は、固定板部２を貫通して固定板部２を屈曲しやすくする貫通孔２４を有している。
【００３７】
この構成によれば、作業者は固定板部２を折曲可能部２２で折り曲げやすく、より一層、作業性を向上することができる。
【００３８】
〔変形例〕
上記実施形態の端部取付用部材は、図５に示すような態様であってもよい。
【００３９】
変形例の端部取付用部材は、固定板部２の棟側の端縁に、水抜き用切欠２５を有している。水抜き用切欠２５は、固定板部２において覆い片部３が設けられた側とは反対側の端縁から、覆い片部３にまで至る三角形状の切欠である。水抜き用切欠２５の奥部は、覆い片部３の幅方向の中央部に位置している。
【００４０】
これにより、固定板部２の棟側の端縁に水が溜まっても、水抜き用切欠２５から軒側に流すことができ、水の滞留を抑制することができる。
【００４１】
〔応用〕
上記実施形態の端部取付用部材は、折板材１用の端部取付用部材であったが、例えば、たてひらに対して取り付ける化粧フレームに適用してもよく、縦葺材であれば適用可能である。また、端部取付用部材からなる止水フレーム５は、縦葺材の端部に取り付けられればよく、軒側の端部に限定されない。
【００４２】
上記実施形態の端部取付用部材は、変形して止水フレーム５として使用したが、例えば、軒面戸や棟面戸であってもよい。この場合の端部取付用部材は、上記実施形態と同様の固定板部と、固定板部の幅方向の一方の端部から延出した覆い片部としての面戸とを備える。
【００４３】
上記実施形態の覆い片部３は、固定板部２に対して直交していたが、これに限定されない。例えば、覆い片部３は、固定板部２の軒側の端部から屋外側斜め下方に延出してもよいし、斜め上方に延出してもよい。また、覆い片部３は、固定板部２に対して、曲げ加工によって形成されたものでなくてもよく、例えば、溶接により接続されたものであってもよい。
【００４４】
上記実施形態の端部取付用部材は、軒先と縦継ぎ部の両方に取り付けられたが、いずれか一方だけに取り付けられてもよい。
【００４５】
上記実施形態の折曲可能部２２は、切欠部２３および貫通孔２４によって、他の部分よりも折れ曲げやすいように構成されたが、他の部分と比べて、塑性変形しやすい構造でなくてもよい。
【００４６】
また、上記実施形態の切欠部２３は、山型に形成されたが、半円形状に切り欠かれてもよく、形状は特に限定されない。
【００４７】
また、上記変形例の水抜き用切欠２５は、覆い片部３の幅方向の中央部にまで形成されていたが、中央部まで至るものでなくてもよく、覆い片部３の上端部に至る程度に形成されてもよい。
【００４８】
その他、上記実施形態の構成は、本発明の主旨を逸脱しない範囲であれば、適宜設計変更を行うことができる。
【符号の説明】
【００４９】
１      折板材（縦葺材）
２      固定板部
２２    折曲可能部
２３    切欠部
２４    貫通孔
２５    水抜き用切欠
３      覆い片部
【図１】
2018123518.tif 000003
【図２】
2018123518.tif 000004
【図３】
2018123518.tif 000005
【図４】
2018123518.tif 000006
【図５】
2018123518.tif 000007